(57)【要約】      （修正有）【課題】美容装置の状態を容易に視認させることができると共に、使用者の快適な睡眠に貢献できる美容装置を提供する。【解決手段】液体霧化装置によって霧化された液体を放出する美容装置において、前記液体霧化装置の駆動時に発光する発光表示部と、前記発光表示部の輝度を調整する制御部と、を備えることを要旨とする。美容器１０は、ミスト発生部５１又は静電霧化部５２の駆動時に発光する発光表示部ＨＤと、発光表示部ＨＤの輝度を調整する制御部５３と、を備えている。【選択図】図２
2011239822.tif 000002
【特許請求の範囲】
【請求項１】
液体霧化装置によって霧化された液体を放出する美容装置において、
前記液体霧化装置の駆動時に発光する発光表示部と、
前記発光表示部の輝度を調整する制御部と、を備えることを特徴とする美容装置。
【請求項２】
前記制御部は、前記液体霧化装置の駆動が開始されてからの経過時間が、予め設定された低下開始基準値以上となった場合に、前記発光表示部の輝度の低下を開始させることを特徴とする請求項１に記載の美容装置。
【請求項３】
前記制御部は、前記液体霧化装置の駆動が開始されてからの経過時間が前記低下開始基準値以上となった場合に、前記発光表示部の輝度を次第に低くすることを特徴とする請求項２に記載の美容装置。
【請求項４】
前記制御部は、前記液体霧化装置の駆動が開始されてからの経過時間が前記低下開始基準値以上となった場合に、前記発光表示部の輝度を段階的に低くすることを特徴とする請求項２に記載の美容装置。
【請求項５】
入射する光の照度を検知する照度検出部をさらに備え、
前記制御部は、
前記液体霧化装置の駆動時において、前記照度検出部によって検知された照度が予め設定された照度基準値以上である状態から、検知された照度が前記照度基準値未満となった場合に、
前記発光表示部の輝度の低下を開始させることを特徴とする請求項１〜請求項４のうち何れか一項に記載の美容装置。
【請求項６】
前記制御部は、
前記液体霧化装置の駆動時において、前記照度検出部によって検知された照度が前記照度基準値未満である状態から、検知された照度が前記照度基準値以上となった場合に、
前記発光表示部の輝度の上昇を開始することを特徴とする請求項５に記載の美容装置。
【請求項７】
前記美容装置が設置される部屋に設置される照明装置の状態を検知する状態検知部をさらに備え、
前記制御部は、
前記液体霧化装置の駆動時において、前記状態検知部によって前記照明装置の照度が低くなったこと、及び前記照明装置が消灯されたことのうち少なくとも一方が検知された場合に、
前記発光表示部の輝度の低下を開始することを特徴とする請求項１〜請求項４のうち何れか一項に記載の美容装置。
【請求項８】
前記制御部は、
前記液体霧化装置の駆動時において、前記状態検知部によって前記照明装置の照度が高くなったこと、及び前記照明装置が点灯されたことのうち少なくとも一方が検知された場合に、
前記発光表示部の輝度の上昇を開始させることを特徴とする請求項７に記載の美容装置。
【請求項９】
前記制御部は、前記液体霧化装置の駆動時において、前記発光表示部の輝度が予め設定された輝度下限値になった場合には、前記発光表示部の輝度の低下を停止させることを特徴とする請求項１〜請求項８のうち何れか一項に記載の美容装置。
【請求項１０】
前記制御部は、前記発光表示部の輝度が前記輝度下限値になった場合に、前記発光表示部の輝度を維持させることを特徴とする請求項９に記載の美容装置。
【請求項１１】
前記制御部は、前記発光表示部をＰＷＭ制御することを特徴とする請求項１〜請求項１０のうち何れか一項に記載の美容装置。
【発明の詳細な説明】
【技術分野】
【０００１】
本発明は、霧化された液体を放出する美容装置に関する。
【背景技術】
【０００２】
従来、この種の美容装置として、例えば特許文献１に記載の美容装置が提案されている。この特許文献１に記載の美容装置は、水などの液体を収容する収容部と、該収容部から供給された液体を霧化させる液体霧化装置と、霧化された液体を外部に放出する放出部とを備えている。また、こうした美容装置には、使用者に操作される操作パネルと、使用者に対して美容装置の状態を視認させるための発光表示部（例えばＬＥＤランプ）とが設けられている。
【先行技術文献】
【特許文献】
【０００３】
【特許文献１】特開２００３−１３５５５３号公報
【発明の概要】
【発明が解決しようとする課題】
【０００４】
ところで、上記美容装置は、使用者の睡眠時に利用されることがある。しかしながら、使用者が睡眠する場合には、部屋に設けられた照明装置の照度が低く、又は照明装置が消灯されることが多い。このような照度の低い部屋で美容装置が利用された場合、美容装置の発光表示部の輝度によっては、発光表示部が明るいと使用者が判断する可能性がある。この場合、発光表示部の発光によって使用者の快適な睡眠が妨げられるおそれがあった。
【０００５】
また、使用者の快適な睡眠を妨げないように、輝度の低い発光表示部を用いる方法が考えられる。この場合、部屋の照度を高くした状態では、発光表示部が発光しているのか否かが使用者にとって判断しにくくなる。すなわち、美容装置の状態を、使用者が認識しにくくなるおそれがあった。
【０００６】
本発明は、このような事情に鑑みてなされたものであり、その目的は、美容装置の状態を容易に視認させることができると共に、使用者の快適な睡眠に貢献できる美容装置を提供することにある。
【課題を解決するための手段】
【０００７】
上記目的を達成するために、本発明の美容装置は、液体霧化装置によって霧化された液体を放出する美容装置において、前記液体霧化装置の駆動時に発光する発光表示部と、前記発光表示部の輝度を調整する制御部と、を備えることを要旨とする。
【０００８】
本発明の美容装置において、前記制御部は、前記液体霧化装置の駆動が開始されてからの経過時間が、予め設定された低下開始基準値以上となった場合に、前記発光表示部の輝度の低下を開始させる。
【０００９】
本発明の美容装置において、前記制御部は、前記液体霧化装置の駆動が開始されてからの経過時間が前記低下開始基準値以上となった場合に、前記発光表示部の輝度を次第に低くする。
【００１０】
本発明の美容装置において、前記制御部は、前記液体霧化装置の駆動が開始されてからの経過時間が前記低下開始基準値以上となった場合に、前記発光表示部の輝度を段階的に低くする。
【００１１】
本発明の美容装置において、入射する光の照度を検知する照度検出部をさらに備え、前記制御部は、前記液体霧化装置の駆動時において、前記照度検出部によって検知された照度が予め設定された照度基準値以上である状態から、検知された照度が前記照度基準値未満となった場合に、前記発光表示部の輝度の低下を開始させる。
【００１２】
本発明の美容装置において、前記制御部は、前記液体霧化装置の駆動時において、前記照度検出部によって検知された照度が前記照度基準値未満である状態から、検知された照度が前記照度基準値以上となった場合に、前記発光表示部の輝度の上昇を開始する。
【００１３】
本発明の美容装置において、前記美容装置が設置される部屋に設置される照明装置の状態を検知する状態検知部をさらに備え、前記制御部は、前記液体霧化装置の駆動時において、前記状態検知部によって前記照明装置の照度が低くなったこと、及び前記照明装置が消灯されたことのうち少なくとも一方が検知された場合に、前記発光表示部の輝度の低下を開始する。
【００１４】
本発明の美容装置において、前記制御部は、前記液体霧化装置の駆動時において、前記状態検知部によって前記照明装置の照度が高くなったこと、及び前記照明装置が点灯されたことのうち少なくとも一方が検知された場合に、前記発光表示部の輝度の上昇を開始させる。
【００１５】
本発明の美容装置において、前記液体霧化装置の駆動時において、前記発光表示部の輝度が予め設定された輝度下限値になった場合には、前記発光表示部の輝度の低下を停止させる。
【００１６】
本発明の美容装置において、前記制御部は、前記発光表示部の輝度が前記輝度下限値になった場合に、前記発光表示部の輝度を維持させる。
本発明の美容装置において、前記制御部は、前記発光表示部をＰＷＭ制御する。
【発明の効果】
【００１７】
本発明によれば、美容装置の状態を容易に視認させることができると共に、使用者の快適な睡眠に貢献できる。
【図面の簡単な説明】
【００１８】
【図１】（ａ）（ｂ）は第１の実施形態における美容器を示す斜視図。
【図２】第１の実施形態における美容器の電気的構成の要部を示すブロック図。
【図３】第１の実施形態における駆動処理ルーチンを説明するフローチャート。
【図４】第２の実施形態における美容器を示す斜視図。
【図５】第２の実施形態における駆動処理ルーチンを説明するフローチャート。
【図６】第３の実施形態における美容器を示す斜視図。
【図７】第３の実施形態における美容器の電気的構成の要部を示すブロック図。
【図８】美容器が設置される部屋を模式的に示すブロック図。
【図９】第３の実施形態における駆動処理ルーチンを説明するフローチャート。
【図１０】第４の実施形態における美容器を示す斜視図。
【図１１】第４の実施形態における駆動処理ルーチンを説明するフローチャート。
【図１２】美容器が設置される部屋を模式的に示すブロック図。
【図１３】第５の実施形態における美容器の電気的構成の要部を示すブロック図。
【図１４】第５の実施形態における駆動処理ルーチンを説明するフローチャート。
【図１５】第６の実施形態における美容器の電気的構成の要部を示すブロック図。
【図１６】第６の実施形態における駆動処理ルーチンを説明するフローチャート。
【発明を実施するための形態】
【００１９】
（第１の実施形態）
以下、本発明を具体化した第１の実施形態を図１〜図３に従って説明する。なお、以下の説明において、「前（手前）」「後」「上」「下」「左」「右」は、美容装置の使用者が、美容装置を使用する際に美容装置に向いた状態を基準とした場合の「前（手前）」「後」「上」「下」「左」「右」を示すものとする。
【００２０】
図１（ａ）（ｂ）に示すように、美容装置としての美容器１０は、有底略円筒状の本体ケース１１と、該本体ケース１１内に収容される美容器本体１２とを備えている。美容器本体１２において、上ハウジング１３の上面１３ａの前側中央部には、上方に開口する開口部１３ｂが形成されている。また、上ハウジング１３には、開口部１３ｂと整合させて凹部１５を形成するベース部材１６が組み付けられている。
【００２１】
ベース部材１６には、温ミストを放出（噴射）するミスト放出口２１の周りを覆うように形成されたノズルカバー２２を有するミストノズル２０が取着されている。このミストノズル２０は、左右方向に延びる図示しない軸線を中心に揺動可能とされている。そして、ミストノズル２０の軸線を中心とした周方向位置を変更することにより、ミスト放出口２１から放出される温ミストの放出方向が調整される。なお、ミスト放出口２１から放出される温ミストは、本体ケース１１内に配置される液体霧化装置としてのミスト発生部５１（図２参照）によって生成される。
【００２２】
ミスト発生部５１は、後述する貯留タンク３３から供給された液体を加熱して気化させる図示しない加熱部を備えている。そして、加熱部によって生成された温ミスト（液体が水の場合には水蒸気）は、図示しない誘導流路を介してミスト放出口２１側まで導かれ、該ミスト放出口２１から放出される。
【００２３】
また、ベース部材１６には、ミストノズル２０を保護するためのノズルガード２６が左右方向に延びる図示しない軸線を中心に揺動可能な状態で支持されている。このノズルガード２６は、略半円形の平板状をなす本体部２６ａを有している。この本体部２６ａの後端において左右方向における両端部には、ベース部材１６に設けられた図示しない回転軸に回転可能な状態で支持される基端部２６ｂが設けられている。こうしたノズルガード２６は、ミストノズル２０を覆う閉位置（図１（ａ）に示す位置）と、ミストノズル２０を解放する開位置（図１（ｂ）に示す位置）との間で揺動する。
【００２４】
また、ノズルガード２６の後側には、ミストノズル２０から放出する温ミストを発生する際に使用される所定量（一例として、約１００ｍｌ）の液体（一例として、水）を貯蔵する貯留タンク３３が、美容器本体１２内に着脱自在な状態で収容されている。
【００２５】
上ハウジング１３の上面１３ａにおいて、ミストノズル２０（ノズルガード２６）の左前方には、美容器１０の電源をオン及びオフする際に操作される電源ボタン３５が設けられている。また、上ハウジング１３の上面１３ａにおいて、ミストノズル２０の右前方には、複数種類用意された美容器１０の運転モードのうちから１つの運転モードを選択する際に操作されるモード切替ボタン３６が設けられている。本実施形態では、運動モードとして、温ミストを放出する温ミストモードと、後述する帯電微粒子ミストを放出する帯電微粒子モードとが予め用意されている。
【００２６】
また、上ハウジング１３の上面１３ａには、モード切替ボタン３６と前後方向に並ぶように、モード切替ボタン３６の操作によって選択された運転モードで美容器１０の運転開始させる際、及び運転停止をする際に操作される運転制御ボタン３７が設けられている。
【００２７】
また、上ハウジング１３の上面１３ａにおいて、電源ボタン３５とモード切替ボタン３６との間には、美容器１０の駆動状態に応じて発光する発光表示部ＨＤ（一例として、ＬＥＤランプ）が設けられている。すなわち、発光表示部ＨＤは、美容器１０の使用者にとって視認可能な位置に配置されている。
【００２８】
本体ケース１１の前面側において、上下方向の略中央には、帯電微粒子ミスト（帯電微粒子液体）を放出するための帯電微粒子ミスト放出口３８が設けられている。この帯電微粒子ミストは、上記温ミストと比較して微少であって且つ電荷を有している。こうした帯電微粒子ミストは、本体ケース１１内に配置される液体霧化装置としての静電霧化部５２によって生成される。
【００２９】
静電霧化部５２は、図示しない第１電極と、第２電極と、第１電極に液体（一例として水）を供給する液体供給部とを備えている。そして、静電霧化部５２は、第１電極に液体が供給された状態で、第１電極と第２電極との間に電位差を発生させることにより、帯電微粒子ミストを生成し、帯電微粒子ミスト放出口３８を介して帯電微粒子ミストを放出させる。
【００３０】
次に、本実施形態の美容器１０の電気的構成について説明する。
図２に示すように、美容器１０は、本体ケース１１内に配置されるコントローラ５０を備えている。このコントローラ５０の図示しない入力側インターフェースには、電源ボタン３５、モード切替ボタン３６及び運転制御ボタン３７が電気的に接続されている。また、コントローラ５０の図示しない出力側インターフェースには、発光表示部ＨＤ、ミスト発生部５１及び静電霧化部５２が電気的に接続されている。そして、コントローラ５０は、各種ボタン３５〜３７の操作状況に応じて、発光表示部ＨＤ、ミスト発生部５１及び静電霧化部５２を個別に制御する。なお、本実施形態では、発光表示部ＨＤは、ＰＷＭ（Pulse Width Modulation）制御される。
【００３１】
コントローラ５０は、図示しないＣＰＵ、ＲＯＭ及びＲＡＭで構成される制御部５３と、図示しないクロック発生回路などで構成される計時部５４とを備えている。ＲＯＭには、ＣＰＵが実行する各種制御プログラム及び各種データなどが記憶されている。ＲＡＭには、ＣＰＵによる演算結果及び処理結果である各種データなどが一時的に記憶される。計時部５４は、クロック発生回路から出力されるクロック信号に基づき時間を計測する。
【００３２】
次に、本実施形態の制御部５３が実行する駆動処理ルーチンについて図３に示すフローチャートに基づき説明する。なお、この駆動処理ルーチンは、電源ボタン３５が操作されて美容器１０が駆動可能な状態になったタイミングで実行される。
【００３３】
さて、駆動処理ルーチンにおいて、制御部５３は、発光表示部ＨＤが点滅するようにＰＷＭ制御を行う（ステップＳ１０）。具体的には、制御部５３は、発光表示部ＨＤの輝度を所定輝度値となる期間と、輝度が「０（零）」となる期間とが交互に繰り返されるように、発光表示部ＨＤに出力する制御信号（パルス信号）のデューティー比（duty ratio）を適宜調整する。なお、デューティー比とは、一周期内におけるパルス幅の比率のことである。
【００３４】
続いて、制御部５３は、運転制御ボタン３７が使用者によって操作されたか否かを判定する（ステップＳ１１）。すなわち、ステップＳ１１では、ミスト発生部５１又は静電霧化部５２の駆動を開始させるために運転制御ボタン３７が操作されたか否かが判定される。ステップＳ１１の判定結果が否定判定である場合、制御部５３は、運転制御ボタン３７が未だ操作されていないため、その処理を前述したステップＳ１０に移行する。一方、ステップＳ１１の判定結果が肯定判定である場合、制御部５３は、運転制御ボタン３７が操作されたため、発光表示部ＨＤの輝度Ｐｒを予め設定された輝度上限値ＫＰｒｍａｘで保持させる（ステップＳ１２）。この輝度上限値ＫＰｒｍａｘは、一例として、発光表示部ＨＤに入力される制御信号のデューティー比が「１００％（オン時が１００％、オフ時が０％）」に設定されたときの輝度である。
【００３５】
続いて、制御部５３は、運転モードが帯電微粒子モードであるか否かを判定する（ステップＳ１３）。この判定結果が肯定判定である場合、制御部５３は、帯電微粒子モードが設定されているため、帯電微粒子ミストを放出させるべく静電霧化部５２の駆動を開始させる（ステップＳ１４）。その後、制御部５３は、その処理を後述するステップＳ１６に移行する。一方、ステップＳ１３の判定結果が否定判定である場合、制御部５３は、温ミストモードが設定されているため、温ミストを放出させるべくミスト発生部５１の駆動を開始させる（ステップＳ１５）。その後、制御部５３は、その処理を次のステップＳ１６に移行する。
【００３６】
ステップＳ１６において、制御部５３は、計時部５４によって計時されている時間を「０（零）」にリセットし、計時部５４による開始経過時間Ｔ１の計測を開始させる。続いて、制御部５３は、運転制御ボタン３７が操作されたか否かを判定する（ステップＳ１７）。すなわち、ステップＳ１７では、ミスト発生部５１及び静電霧化部５２の駆動を停止させるために運転制御ボタン３７が操作されたか否かが判定される。ステップＳ１７の判定結果が肯定判定である場合、制御部５３は、運転制御ボタン３７が操作されたため、その処理を後述するステップＳ２４に移行する。一方、ステップＳ１７の判定結果が否定判定である場合、制御部５３は、運転制御ボタン３７が操作されていないため、計時部５４によって計時される開始経過時間Ｔ１が、予め設定された低下開始基準値ＫＴ１以上であるか否かを判定する（ステップＳ１８）。この低下開始基準値ＫＴ１は、発光表示部ＨＤの輝度Ｐｒの低下を開始させるか否かを判断するための基準値であって、一例として「１分」に設定されている。
【００３７】
ステップＳ１８の判定結果が否定判定（Ｔ１＜ＫＴ１）である場合、制御部５３は、その処理を前述したステップＳ１７に移行する。一方、ステップＳ１８の判定結果が肯定判定（Ｔ１≧ＫＴ１）である場合、制御部５３は、発光表示部ＨＤの輝度Ｐｒを低下させる（ステップＳ１９）。具体的には、制御部５３は、発光表示部ＨＤに出力する制御信号のデューティー比を「１％」だけ低くする。すなわち、本実施形態では、ミスト発生部５１又は静電霧化部５２の駆動が開始されてからの経過時間（開始経過時間Ｔ１）が低下開始基準値ＫＴ１以上になったことを契機に、発光表示部ＨＤの輝度Ｐｒの低下が開始される。
【００３８】
続いて、制御部５３は、ステップＳ１７の判定処理と同等の判定処理を行う（ステップＳ２０）。この判定結果が肯定判定である場合、制御部５３は、その処理を後述するステップＳ２４に移行する。一方、ステップＳ２０の判定結果が否定判定である場合、制御部５３は、発光表示部ＨＤの輝度Ｐｒが、輝度上限値ＫＰｒｍａｘよりも小さい値に予め設定された輝度下限値ＫＰｒｍｉｎ以下であるか否かを判定する（ステップＳ２１）。この輝度下限値ＫＰｒｍｉｎは、部屋の照明装置が消灯された状態であっても発光表示部ＨＤが発光していることを使用者が認識できる輝度の下限値、又は該下限値よりも僅かに大きな値に設定されている。一例として、輝度下限値ＫＰｒｍｉｎは、発光表示部ＨＤに入力される制御信号のデューティー比が「２０％（オン時が２０％、オフ時が８０％）」に設定されたときの輝度である。
【００３９】
ステップＳ２１の判定結果が否定判定（Ｐｒ＞ＫＰｒｍｉｎ）である場合、制御部５３は、発光表示部ＨＤに出力する制御信号のデューティー比が２０％よりも大きいため、その処理を前述したステップＳ１９に移行する。すなわち、本実施形態では、発光表示部ＨＤの輝度Ｐｒは、時間の経過と共に次第に低下される。一方、ステップＳ２１の判定結果が肯定判定（Ｐｒ≦ＫＰｒｍｉｎ）である場合、制御部５３は、発光表示部ＨＤに出力する制御信号のデューティー比が２０％になったため、上記ステップＳ１７，Ｓ２０と同等の判定処理を行う（ステップＳ２２）。この判定結果が肯定判定である場合、制御部５３は、その処理を後述するステップＳ２４に移行する。
【００４０】
一方、ステップＳ２２の判定結果が否定判定である場合、制御部５３は、計時部５４によって計時される開始経過時間Ｔ１が、低下開始基準値ＫＴ１よりも長時間に設定された駆動停止基準値ＫＴ２以上であるか否かを判定する（ステップＳ２３）。この駆動停止基準値ＫＴ２は、ミスト発生部５１又は静電霧化部５２の駆動を停止させるか否かを判断するための基準値である。一例として、駆動停止基準値ＫＴ２は、使用者が就寝時にミスト発生部５１又は静電霧化部５２を駆動させた場合に、該使用者の起床時にミスト発生部５１又は静電霧化部５２が丁度停止するような時間（例えば、８時間）に設定されている。
【００４１】
ステップＳ２３の判定結果が否定判定（Ｔ１＜ＫＴ２）である場合、制御部５３は、その処理を前述したステップＳ２２に移行する。一方、ステップＳ２３の判定結果が肯定判定（Ｔ１≧ＫＴ２）である場合、制御部５３は、その処理を次のステップＳ２４に移行する。
【００４２】
ステップＳ２４において、制御部５３は、帯電微粒子モードが設定されている場合には静電霧化部５２の駆動を停止させる。また、制御部５３は、温ミストモードが設定されている場合にはミスト発生部５１の駆動を停止させる。その後、制御部５３は、その処理を前述したステップＳ１０に移行する。
【００４３】
次に、使用者が就寝時に美容器１０を駆動させた場合の該美容器１０の作用について説明する。なお、前提として、運動モードは帯電微粒子モードに設定されると共に、使用者は、部屋の照明装置を消灯した状態で就寝するものとする。
【００４４】
さて、使用者が就寝する際に美容器１０の電源ボタン３５を操作すると共に、運転制御ボタン３７が操作されると、静電霧化部５２が駆動される。すると、美容器１０の帯電微粒子ミスト放出口３８からは、静電霧化部５２で発生した帯電微粒子ミストが放出される。
【００４５】
また、静電霧化部５２の駆動が開始されてから低下開始基準値ＫＴ１に相当する時間（例えば１分）が経過すると、発光表示部ＨＤの輝度Ｐｒが、時間の経過と共に徐々に低下し始める。そして、発光表示部ＨＤの輝度Ｐｒが輝度下限値ＫＰｒｍｉｎまで低下すると、発光表示部ＨＤの輝度Ｐｒは、その状態（即ち、輝度下限値ＫＰｒｍｉｎ）で維持される。そのため、照明装置が消灯された部屋内において、発光表示部ＨＤから射出される光によって、使用者の睡眠が妨げられることが抑制される。
【００４６】
また、使用者は、夜中に一時的に眼を覚ますことがある。もし仮に、発光表示部ＨＤの輝度Ｐｒを「０（零）」にしていたとすると、眼の覚めた使用者にとって、美容器１０が駆動しているか否かが視覚的に認識しにくくなる。この点、本実施形態では、発光表示部ＨＤの輝度Ｐｒは輝度下限値ＫＰｒｍｉｎで維持されるため、夜中に眼が覚めた使用者は、発光表示部ＨＤを見ることによって、美容器１０（この場合、静電霧化部５２）が駆動していることを容易に視認できる。
【００４７】
そして、朝方になって眼の覚めた使用者によって、運転制御ボタン３７が操作されると、静電霧化部５２の駆動が停止される。また、静電霧化部５２の駆動が開始されてから駆動停止基準値ＫＴ２に相当する時間（例えば８時間）が経過すると、運転制御ボタン３７の操作の有無に関係なく、静電霧化部５２の駆動が停止される。こうして静電霧化部５２の駆動が停止されると、発光表示部ＨＤは、点滅する。すなわち、美容器１０が待機状態となる。
【００４８】
なお、運転モードが温ミストモードである場合、静電霧化部５２の代わりにミスト発生部５１が駆動する以外は、帯電微粒子モードと略同等の処理が行われる。よって、本実施形態では、運転モードが温ミストモードである場合の作用の説明を、省略するものとする。
【００４９】
したがって、本実施形態では、以下に示す効果を得ることができる。
（１）使用者に視認可能な位置に配置される発光表示部ＨＤの輝度Ｐｒは、制御部５３からの制御信号によって適宜調整可能である。すなわち、発光表示部ＨＤの輝度Ｐｒを、状況に応じて調整することができる。
【００５０】
（２）使用者は、静電霧化部５２（又はミスト発生部５１）を駆動させた状態で就寝することがある。このとき、発光表示部ＨＤの輝度Ｐｒが高いと、発光表示部ＨＤの発光が気になる使用者の睡眠を妨げる可能性がある。そこで、本実施形態では、静電霧化部５２（又はミスト発生部５１）の駆動が開始されてからの開始経過時間Ｔ１が低下開始基準値ＫＴ１以上となった場合には、発光表示部ＨＤの輝度Ｐｒが低下される。そのため、静電霧化部５２（又はミスト発生部５１）を駆動させた状態で使用者が就寝した場合に、発光する発光表示部ＨＤによって、使用者の睡眠が妨げられる可能性を低くできる。
【００５１】
（３）ここで、もし仮に、静電霧化部５２（又はミスト発生部５１）の駆動開始に伴って発光表示部ＨＤの輝度Ｐｒを低下させる際に、輝度Ｐｒを急激に低下させたとする。この場合、発光表示部ＨＤが故障したと使用者に誤認させたり、美容器１０自体が故障したと使用者に誤認させたりする可能性がある。この点、本実施形態では、発光表示部ＨＤの輝度Ｐｒは、徐々に低下される。そのため、発光表示部ＨＤが故障したと使用者に誤認させたり、美容器１０自体が故障したと使用者に誤認させたりする可能性を低くできる。
【００５２】
（４）また、もし仮に、発光表示部ＨＤの輝度Ｐｒが「０（零）」又はその近傍まで低下させたとすると、例えば夜中に一時的に眼が覚めた使用者は、美容器１０の状態を視覚的に認識しにくくなる。また、美容器１０に故障が発生したと使用者に誤認させてしまうおそれもある。この点、本実施形態では、輝度下限値ＫＰｒｍｉｎが、発光表示部ＨＤが発光していることを視認できる程度の輝度に設定されており、発光表示部ＨＤの輝度Ｐｒが輝度下限値ＫＰｒｍｉｎ未満になることが規制される。そのため、例えば夜中に一時的に眼が覚めた使用者に、美容器１０の状態を容易に視認させることができる。また、美容器１０が故障したと使用者に誤認させることを抑制できる。
【００５３】
（５）さらに、本実施形態では、発光表示部ＨＤの輝度Ｐｒが輝度下限値ＫＰｒｍｉｎまで低下した後では、輝度Ｐｒが輝度下限値ＫＰｒｍｉｎで保持される。そのため、発光表示部ＨＤの輝度Ｐｒの変動（即ち、ＬＥＤランプの揺らぎ）が規制される分、使用者の睡眠が妨げられることを抑制できる。
【００５４】
（６）ＰＷＭ制御とは異なる方法で、発光表示部ＨＤの輝度Ｐｒを調整する方法としては、発光表示部ＨＤへの電力伝達の経路上に可変抵抗を設け、該可変抵抗を用いて発光表示部ＨＤに流れる電流の大きさを調整する方法が考えられる。しかしながら、この場合、発光表示部ＨＤを制御するための駆動回路（「ドライバー」ともいう。）に、可変抵抗、可変抵抗で発生した熱を放熱する構成及び可変抵抗を制御するための構成などを設ける必要がある。この点、本実施形態では、発光表示部ＨＤは制御部５３によってＰＷＭ制御される。そのため、発光表示部ＨＤに流れる電流を調整するための可変抵抗などを駆動回路に設ける必要がない分、駆動回路を含むコントローラ５０の大型化を抑制でき、ひいてはコントローラ５０を備える美容器１０の大型化を抑制できる。
【００５５】
（７）また、発光表示部ＨＤの輝度Ｐｒは、静電霧化部５２（又はミスト発生部５１）の駆動開始に伴って低下される。そのため、発光表示部ＨＤの輝度Ｐｒが低下されない場合と比較して、美容器１０の消費電力の低下に貢献できる。
【００５６】
（第２の実施形態）
次に、本発明の第２の実施形態を図４及び図５に基づき説明する。なお、第２の実施形態は、美容器の構成の一部及び制御処理の一部が第１の実施形態と異なっている。したがって、以下の説明においては、第１の実施形態と相違する部分について主に説明するものとし、第１の実施形態と同一又は相当する部材構成には同一符号を付して重複説明を省略するものとする。
【００５７】
図４に示すように、美容装置としての美容器１０Ａは、第１の実施形態とは異なり、帯電微粒子ミストを放出する機能を有する一方で、温ミストを放出する機能を有していない。また、美容器１０Ａは、電源ボタン３５を備える一方で、モード切替ボタン３６及び運転制御ボタン３７を備えていない。また、美容器１０Ａは、静電霧化部５２を備える一方で、ミスト発生部５１を備えていない。こうした美容器１０Ａでは、電源ボタン３５が操作、即ちオン操作されると、ミスト発生部５１が駆動して帯電微粒子ミストが帯電微粒子ミスト放出口３８から放出される。
【００５８】
次に、本実施形態の制御部５３が実行する駆動処理ルーチンについて、図５に示すフローチャートに基づき説明する。
さて、制御部５３は、美容器１０Ａを駆動させるべく電源ボタン３５が使用者によって操作されたことを契機に、駆動処理ルーチンを実行する。そして、駆動処理ルーチンにおいて、制御部５３は、発光表示部ＨＤを点灯させる（ステップＳ３０）。このとき、制御部５３は、デューティー比が「１００％」に設定された制御信号を発光表示部ＨＤに出力する。続いて、制御部５３は、上記ステップＳ１４，Ｓ１６，Ｓ１８の各処理と同等のステップＳ３１，Ｓ３２，Ｓ３３の各処理を順次行う。そして、ステップＳ３３の判定結果が肯定判定（Ｔ１≧ＫＴ１）になった場合、制御部５３は、発光表示部ＨＤの輝度Ｐｒを徐々に低下させるために、上記ステップＳ１９，Ｓ２１の各処理と同等のステップＳ３４，Ｓ３５の処理を順次行う。
【００５９】
そして、ステップＳ３５の判定結果が肯定判定（Ｐｒ≦ＫＰｒｍｉｎ）になった場合、制御部５３は、上記ステップＳ２３の判定処理と同等のステップＳ３６の判定処理を行う。そして、この判定結果が肯定判定（Ｔ１≧ＫＴ２）になった場合、制御部５３は、静電霧化部５２の駆動を停止させる（ステップＳ３７）。続いて、制御部５３は、上記ステップＳ１０の処理と同等のステップＳ３８の処理を繰り返し行う。
【００６０】
すなわち、本実施形態では、電源ボタン３５が操作されたことを契機に、静電霧化部５２の駆動が開始される。そして、静電霧化部５２の駆動が開始されてから駆動停止基準値ＫＴ２に相当する時間（例えば８時間）が経過すると、静電霧化部５２の駆動が停止される。また、発光表示部ＨＤが点滅する。
【００６１】
したがって、本実施形態では、上記第１の実施形態の効果（１）〜（７）と同等の効果を得ることができる。
（第３の実施形態）
次に、本発明の第３の実施形態を図６〜図９に基づき説明する。なお、第３の実施形態は、美容器を照明する光の照度を検出する点及び制御処理の一部が第１の実施形態と異なっている。したがって、以下の説明においては、第１の実施形態と相違する部分について主に説明するものとし、第１の実施形態と同一又は相当する部材構成には同一符号を付して重複説明を省略するものとする。
【００６２】
図６に示すように、美容装置としての美容器１０Ｂのノズルガード２６の後端側には、入射した光を受光する受光部を有する照度検出部６０が設けられている。この照度検出部６０は、図７に示すように、コントローラ５０の図示しない入力側インターフェースに電気的に接続されている。そして、照度検出部６０からは、受光部で受光された光の受光量に応じた検出信号（電気信号）がコントローラ５０に出力される。すなわち、本実施形態の美容器１０Ｂは、該美容器１０Ｂを照明する光の照度を検出可能に構成されている。
【００６３】
次に、本実施形態の美容器１０Ｂが設置される部屋の一例について説明する。
図８に示すように、部屋には、外部から光（例えば、太陽光）を取り入れるための窓６１と、部屋内を照明するための照明装置６２とが設けられている。また、部屋には、使用者６３の睡眠時に使用する寝具６４と、設置面６５ａを有する設置台６５とが設けられており、該設置面６５ａ上には、美容器１０Ｂが設置されている。
【００６４】
次に、本実施形態の制御部５３が実行する駆動処理ルーチンについて、図９に示すフローチャートに基づき説明する。
さて、駆動処理ルーチンにおいて、制御部５３は、ステップＳ１０，Ｓ１１，Ｓ１２，Ｓ１３，Ｓ１４，Ｓ１５，Ｓ１６，Ｓ１７の各処理を順次行う。そして、ステップＳ１７の判定結果が否定判定である場合、制御部５３は、照度検出部６０からの検出信号に基づき、美容器１０Ｂを照明する光の照度Ｐａ（「光量」と言い換えてもよい。）を検出する（ステップＳ１７１）。続いて、制御部５３は、ステップＳ１７１で検出した照度Ｐａが予め設定された照度基準値ＫＰａ未満であるか否かを判定する（ステップＳ１７２）。この照度基準値ＫＰａは、部屋が暗くなったか否かを判断するための基準値である。一例として、照度基準値ＫＰａは、部屋に窓６１から光がほとんど入射しない状態で、照明装置６２の就寝時用の小さい電球のみが点灯する場合には、部屋が暗いと判断できるような値に設定されている。
【００６５】
ステップＳ１７２の判定結果が否定判定（Ｐａ≧ＫＰａ）である場合、制御部５３は、部屋が明るいと判断し、計時部５４によって計時される開始経過時間Ｔ１が上記駆動停止基準値ＫＴ２以上であるか否かを判定する（ステップＳ１７３）。この判定結果が否定判定（Ｔ１＜ＫＴ２）である場合、制御部５３は、その処理を前述したステップＳ１７に移行する。一方、ステップＳ１７３の判定結果が肯定判定（Ｔ１≧ＫＴ２）である場合、制御部５３は、その処理を後述するステップＳ２４に移行する。
【００６６】
その一方で、ステップＳ１７２の判定結果が肯定判定（Ｐａ＜ＫＰａ）である場合、制御部５３は、ステップＳ１９，Ｓ２０，Ｓ２１の各処理を順次行う。そして、ステップＳ２１の判定結果が肯定判定（Ｐｒ≦ＫＰｒｍｉｎ）である場合、制御部５３は、上記ステップＳ１７１の処理と同様に、美容器１０Ｂを照明する光の照度Ｐａを検出する（ステップＳ２１１）。続いて、制御部５３は、ステップＳ２１１で検出した照度Ｐａが照度基準値ＫＰａ以上であるか否かを判定する（ステップＳ２１２）。この判定結果が否定判定（Ｐａ＜ＫＰａ）である場合、制御部５３は、ステップＳ２２，Ｓ２３，Ｓ２４の各処理を順次行い、その後、その処理を前述したステップＳ１０に移行する。
【００６７】
一方、ステップＳ２１２の判定結果が肯定判定（Ｐａ≧ＫＰａ）である場合、制御部５３は、使用者が起床して照明装置６２を点灯させた、又は朝になって窓６１を介して光が部屋内に入射するようになったと判断する。そして、制御部５３は、発光表示部ＨＤの輝度Ｐｒを上昇させる（ステップＳ４０）。具体的には、制御部５３は、発光表示部ＨＤに出力する制御信号のデューティー比を「１％」だけ高くする。続いて、制御部５３は、上記ステップＳ１７，Ｓ２０，Ｓ２２の判定処理と同等の判定処理を行う（ステップＳ４１）。この判定結果が肯定判定である場合、制御部５３は、その処理を前述したステップＳ２４に移行する。一方、ステップＳ４１の判定結果が否定判定である場合、制御部５３は、発光表示部ＨＤの輝度Ｐｒが輝度上限値ＫＰｒｍａｘ以上であるか否かを判定する（ステップＳ４２）。
【００６８】
この判定結果が否定判定（Ｐａ＜ＫＰｒｍａｘ）である場合、制御部５３は、その処理を前述したステップＳ４０に移行する。すなわち、発光表示部ＨＤの輝度Ｐｒは、時間の経過と共に徐々に上昇する。一方、ステップＳ４２の判定結果が肯定判定（Ｐｒ≧ＫＰｒｍａｘ）である場合、制御部５３は、発光表示部ＨＤの輝度Ｐｒを輝度上限値ＫＰｒｍａｘで維持させて、その処理を前述したステップＳ１７に移行する。
【００６９】
次に、使用者が就寝時に美容器１０Ｂを駆動させた場合の該美容器１０Ｂの作用について、上記各実施形態の作用と異なる部分を中心に説明する。なお、前提として、運動モードは帯電微粒子モードに設定されるものとする。
【００７０】
さて、就寝する使用者６３によって、美容器１０Ｂの電源ボタン３５が操作されると共に、運転制御ボタン３７が操作されると、静電霧化部５２が駆動される。すると、美容器１０Ｂの帯電微粒子ミスト放出口３８からは、静電霧化部５２で発生した帯電微粒子ミストが放出される。このとき、使用者６３が照明装置６２を点灯させた状態では、発光表示部ＨＤの輝度Ｐｒは、輝度上限値ＫＰｒｍａｘで維持される。
【００７１】
その後、使用者６３が照明装置６２を消灯、又は就寝時用の小さい電球のみを点灯させると、照度検出部６０によって検出される光の照度Ｐａが、照度基準値ＫＰａ未満になる。すると、発光表示部ＨＤの輝度Ｐｒが、時間の経過と共に徐々に低下される。そして、発光表示部ＨＤの輝度Ｐｒが輝度下限値ＫＰｒｍｉｎまで低下すると、発光表示部ＨＤの輝度Ｐｒは、その状態（即ち、輝度下限値ＫＰｒｍｉｎ）で維持される。そのため、暗い部屋内において、発光表示部ＨＤからの光によって、使用者６３の睡眠が妨げられることが抑制される。
【００７２】
また、使用者６３が夜中に一時的に眼を覚ました際に、部屋全体を明るくするために照明装置６２の蛍光灯が点灯されることがある。すると、発光表示部ＨＤの輝度Ｐｒは、輝度下限値ＫＰｒｍｉｎから輝度上限値ＫＰｒｍａｘに向けて上昇される。その結果、輝度Ｐｒが輝度下限値ＫＰｒｍｉｎで維持される場合と比較して、夜中に眼の覚めた使用者６３にとって、美容器１０Ｂ（この場合、静電霧化部５２）が駆動しているか否かをより明確に視認できるようになる。
【００７３】
そして、使用者６３が再び就寝すべく照明装置６２を消灯、又は就寝時用の小さい電球のみを点灯させると、発光表示部ＨＤの輝度Ｐｒは、時間の経過と共に徐々に低下され、輝度下限値ＫＰｒｍｉｎで維持される。
【００７４】
その後、朝になって窓６１から部屋内に取り込まれた光によって、部屋が明るくなると、照度検出部６０によって検出される光の照度Ｐａが、照度基準値ＫＰａ以上となる。その結果、発光表示部ＨＤの輝度Ｐｒは、輝度下限値ＫＰｒｍｉｎから輝度上限値ＫＰｒｍａｘに向けて上昇される。
【００７５】
したがって、本実施形態では、上記各実施形態における効果（１）（３）〜（７）の効果と同等の効果に加え、さらに以下に示す効果を得ることができる。
（８）使用者６３は、就寝時には、部屋の照明装置６２を消灯させたり、就寝時用の小さい電球のみを点灯させたりする可能性が高い。そこで、本実施形態では、照度検出部６０によって検出される照度Ｐａが照度基準値ＫＰａ以上の状態から、照度Ｐａが照度基準値ＫＰａ未満になった場合には、使用者６３が就寝したと判断され、発光表示部ＨＤの輝度Ｐｒの低下が開始される。そのため、静電霧化部５２（又はミスト発生部６１）を駆動させた状態で使用者６３が就寝した場合に、発光する発光表示部ＨＤによって、使用者６３の睡眠が妨げられる可能性を低くできる。
【００７６】
（９）照度検出部６０によって検出される照度Ｐａが照度基準値ＫＰａ未満の状態から、照度Ｐａが照度基準値ＫＰａ以上になった場合とは、使用者６３の眼が覚めたり、朝になったために使用者６３が起床したりする可能性が高い。そこで、本実施形態では、照度検出部６０によって検出される照度Ｐａが照度基準値ＫＰａ未満の状態から、照度Ｐａが照度基準値ＫＰａ以上になった場合には、発光表示部ＨＤの輝度Ｐｒが上昇される。そのため、検出される照度Ｐａに関係なく発光表示部ＨＤの輝度Ｐｒが輝度下限値ＫＰｒｍｉｎで維持される場合と比較して、眼の覚めた使用者６３に対して、美容器１０Ｂの状態を容易に視認させることができる。
【００７７】
（第４の実施形態）
次に、本発明の第４の実施形態を図１０及び図１１に基づき説明する。なお、第４の実施形態は、美容器の構成の一部及び制御処理の一部が第３の実施形態と異なっている。したがって、以下の説明においては、第１〜第３の各実施形態と相違する部分について主に説明するものとし、第１〜第３の各実施形態と同一又は相当する部材構成には同一符号を付して重複説明を省略するものとする。
【００７８】
図１０に示すように、美容装置としての美容器１０Ｃは、上記第３の実施形態の美容器１０Ｂと同様に、照度検出部６０を備えている。その一方で、美容器１０Ｃは、モード切替ボタン３６、運転制御ボタン３７及びミスト発生部５１を備えていない。こうした美容器１０Ｃでは、電源ボタン３５が操作、即ちオン操作されると、ミスト発生部５１が駆動して帯電微粒子ミストが帯電微粒子ミスト放出口３８から放出される。
【００７９】
次に、本実施形態の制御部５３が実行する駆動処理ルーチンについて、図１１に示すフローチャートに基づき説明する。
さて、駆動処理ルーチンにおいて、制御部５３は、ステップＳ３０，Ｓ３１，Ｓ３２の各処理を順次行う。続いて、制御部５３は、上記ステップＳ１７１，Ｓ１７２，Ｓ１７３の各処理に相当するステップＳ３２１，Ｓ３２２，Ｓ３２３の各処理を順次行う。そして、ステップＳ３２３の判定結果が肯定判定（Ｔ１≧ＫＴ１）である場合、制御部５３は、その処理を後述するステップＳ３７に移行する。また、ステップＳ３２２の判定結果が肯定判定（Ｐａ＜ＫＰａ）である場合、制御部５３は、ステップＳ３４，Ｓ３５の各処理を順次行う。
【００８０】
そして、ステップＳ３５の判定結果が肯定判定（Ｐｒ≦ＫＰｒｍｉｎ）である場合、制御部５３は、ステップＳ３２１と同様に、美容器１０Ｃを照明する光の照度Ｐａを検出する（ステップＳ３５１）。続いて、制御部５３は、ステップＳ３５１で検出した照度Ｐａが照度基準値ＫＰａ以上であるか否かを判定する（ステップＳ３５２）。この判定結果が否定判定（Ｐａ＜ＫＰａ）である場合、制御部５３は、ステップＳ３６，Ｓ３７，Ｓ３８の各処理を順次行う。
【００８１】
一方、ステップＳ３５２の判定結果が肯定判定（Ｐａ≧ＫＰａ）である場合、制御部５３は、上記ステップＳ４０，Ｓ４２の各処理に相当するステップＳ５０，Ｓ５１の各処理を順次行う。そして、ステップＳ５１の判定結果が肯定判定（Ｐｒ≧ＫＰｒｍａｘ）である場合、制御部５３は、その処理を前述したステップＳ３２１に移行する。
【００８２】
したがって、本実施形態では、上記各実施形態における効果（１）（３）〜（９）と同等の効果を得ることができる。
（第５の実施形態）
次に、本発明の第５の実施形態を図１２〜図１４に基づき説明する。なお、第５の実施形態は、美容器の設置される部屋の照明装置の状態を検知可能な点及び制御処理の一部が第１及び第３の各実施形態と異なっている。したがって、以下の説明においては、第１〜第４の各実施形態と相違する部分について主に説明するものとし、第１〜第４の各実施形態と同一又は相当する部材構成には同一符号を付して重複説明を省略するものとする。
【００８３】
図１２に示すように、本実施形態の美容装置としての美容器１０Ｄが設置される部屋には、遠隔操作装置（「リモートコントローラ」ともいう。）７５から送信される信号によって作動する照明装置６２が設けられている。すなわち、遠隔操作装置７５から全点灯信号が送信された場合には、照明装置６２の蛍光灯が点灯する。また、遠隔操作装置７５から一部消灯信号が送信された場合には、照明装置６２の就寝時用の小さい電灯が点灯する。また、遠隔操作装置７５から全消灯信号が送信された場合には、照明装置６２が完全に消灯される。
【００８４】
また、本実施形態の美容器１０Ｄは、図１３に示すように、遠隔操作装置７５から送信される信号を受信する状態検知部７０が設けられている。すなわち、美容器１０Ｄは、状態検知部７０での受信結果に基づき、部屋を照明する照明装置６２の状態を検知することが可能となっている。
【００８５】
次に、本実施形態の制御部５３が実行する駆動処理ルーチンについて、図１４に示すフローチャートに基づき説明する。
さて、駆動処理ルーチンにおいて、制御部５３は、ステップＳ１０，Ｓ１１，Ｓ１２，Ｓ１３，Ｓ１４，Ｓ１５，Ｓ１６，Ｓ１７の各処理を順次行う。そして、ステップＳ１７の判定結果が否定判定である場合、制御部５３は、状態検知部７０での受信結果に基づき、照明装置６２がオフになったか否かを判定する（ステップＳ１７５）。本実施形態において「照明装置６２のオフ」とは、照明装置６２の全ての電灯が消灯された状態、及び就寝時用の小さい電灯のみが点灯した状態のことを示している。
【００８６】
ステップＳ１７５の判定結果が否定判定である場合、制御部５３は、照明装置６２がオンであるため、照明装置６２の蛍光灯が点灯していると判断する。そして、制御部５３は、計時部５４によって計時される開始経過時間Ｔ１が上記駆動停止基準値ＫＴ２以上であるか否かを判定する（ステップＳ１７６）。この判定結果が否定判定（Ｔ１＜ＫＴ２）である場合、制御部５３は、その処理を前述したステップＳ１７に移行する。一方、ステップＳ１７６の判定結果が肯定判定（Ｔ１≧ＫＴ２）である場合、制御部５３は、その処理を後述するステップＳ２４に移行する。
【００８７】
その一方で、ステップＳ１７５の判定結果が肯定判定である場合、制御部５３は、照明装置６２がオフであるため、ステップＳ１９，Ｓ２０，Ｓ２１，Ｓ２２の各処理を順次行う。そして、ステップＳ２２の判定結果が否定判定である場合、制御部５３は、照明装置６２がオンであるか否か、即ち照明装置６２の蛍光灯が点灯しているか否かを判定する（ステップＳ２２１）。この判定結果が否定判定である場合、制御部５３は、照明装置６２がオフであるため、ステップＳ２３，Ｓ２４の各処理を順次行い、その後、その処理を前述したステップＳ１０に移行する。
【００８８】
一方、ステップＳ２２１の判定結果が肯定判定である場合、制御部５３は、照明装置６２の蛍光灯が点灯されて部屋が明るくなったと判断し、ステップＳ４０，Ｓ４１，Ｓ４２の各処理を行う。そして、ステップＳ４２の判定結果が肯定判定（Ｐｒ≧ＫＰｒｍａｘ）である場合、制御部５３は、その処理を前述したステップＳ１７に移行する。
【００８９】
したがって、本実施形態では、上記各実施形態における効果（１）（３）〜（７）の効果と同等の効果に加え、さらに以下に示す効果を得ることができる。
（１０）使用者６３は、就寝時には、部屋の照明装置６２を消灯させたり、就寝時用の小さい電球のみを点灯させたりする可能性が高い。そこで、本実施形態では、遠隔操作装置７５から送信される信号を状態検知部７０で受信し、該受信結果から照明装置６２の状態が検知される。すなわち、照明装置６２の全ての電灯が消灯されたり、就寝時用の小さい電灯のみが点灯されたりしたことを検知した場合には、使用者６３が就寝したと判断され、発光表示部ＨＤの輝度Ｐｒの低下が開始される。そのため、静電霧化部５２（又はミスト発生部６１）を駆動させた状態で使用者６３が就寝した場合に、発光する発光表示部ＨＤによって、使用者６３の睡眠が妨げられる可能性を低くできる。
【００９０】
（１１）また、状態検知部７０での受信結果に基づき、照明装置６２の蛍光灯が点灯されたことを検知した場合には、使用者６３が起床（この場合、一時的な起床も含む。）したと判断し、発光表示部ＨＤの輝度Ｐｒが上昇される。そのため、起床した使用者６３に対して、美容器１０Ｄの状態を容易に視認させることができる。
【００９１】
（第６の実施形態）
次に、本発明の第６の実施形態を図１５及び図１６に基づき説明する。なお、第６の実施形態は、美容器の構成の一部及び制御処理の一部が第５の実施形態と異なっている。したがって、以下の説明においては、第１〜第５の各実施形態と相違する部分について主に説明するものとし、第１〜第５の各実施形態と同一又は相当する部材構成には同一符号を付して重複説明を省略するものとする。
【００９２】
図１５に示すように、美容装置としての美容器１０Ｅは、上記第５の実施形態の美容器１０Ｄと同様に、状態検知部７０を備えている。その一方で、美容器１０Ｃは、モード切替ボタン３６、運転制御ボタン３７及びミスト発生部５１を備えていない。こうした美容器１０Ｃでは、電源ボタン３５が操作、即ちオン操作されると、ミスト発生部５１が駆動して帯電微粒子ミストが帯電微粒子ミスト放出口３８から放出される。
【００９３】
次に、本実施形態の制御部５３が実行する駆動処理ルーチンについて、図１６に示すフローチャートに基づき説明する。
さて、駆動処理ルーチンにおいて、制御部５３は、ステップＳ３０，Ｓ３１，Ｓ３２の各処理を順次行う。続いて、制御部５３は、上記ステップＳ１７５と同等の判定処理を行う（ステップＳ３２５）。この判定結果が否定判定である場合、制御部５３は、照明装置６２がオンであるため、上記ステップＳ１７６と同等の判定処理を行う（ステップＳ３２６）。この判定結果が肯定判定（Ｔ１≧ＫＴ２）である場合、制御部５３は、その処理を後述するステップＳ３７に移行する。一方、ステップＳ３２６の判定結果が否定判定（Ｔ１＜ＫＴ２）である場合、制御部５３は、その処理を前述したステップＳ３２５に移行する。
【００９４】
その一方で、ステップＳ３２５の判定結果が肯定判定である場合、制御部５３は、照明装置６２がオフであるため、ステップＳ３４，Ｓ３５の各処理を順次行う。そして、ステップＳ３５の判定結果が肯定判定（Ｐｒ≦ＫＰｒｍｉｎ）である場合、制御部５３は、上記ステップＳ２２１と同等の判定処理を行う（ステップＳ３５５）。この判定結果が否定判定である場合、制御部５３は、照明装置６２がオンであるため、ステップＳ３６，Ｓ３７，Ｓ３８の各処理を順次行う。一方、ステップＳ３５５の判定結果が肯定判定である場合、制御部５３は、ステップＳ５０，Ｓ５１の各処理を順次行う。そして、ステップＳ５１の判定結果が肯定判定（Ｐｒ≧ＫＰｒｍａｘ）である場合、制御部５３は、その処理を前述したステップＳ３２５に移行する。
【００９５】
したがって、本実施形態では、上記各実施形態における効果（１）（３）〜（７）（１０）（１１）の効果と同等の効果を得ることができる。
なお、本実施形態は以下のような別の実施形態に変更してもよい。
【００９６】
・各実施形態において、発光表示部ＨＤを駆動させるための駆動回路に、発光表示部ＨＤに供給される電流の大きさを変更するための構成（一例として、可変抵抗）を設けてもよい。そして、可変抵抗の抵抗値を必要に応じて可変させることにより、発光表示部ＨＤの輝度Ｐｒを調整することができる。
【００９７】
・各実施形態において、発光表示部ＨＤの輝度Ｐｒを輝度下限値ＫＰｒｍｉｎになった場合には、輝度Ｐｒを輝度下限値ＫＰｒｍｉｎと輝度上限値ＫＰｒｍａｘとの間で変動させてもよい。
【００９８】
・各実施形態において、発光表示部ＨＤの輝度Ｐｒが「０（零）」になるまで、即ちデューティー比が「０％」になるまで、輝度Ｐｒを低下させてもよい。このように構成すると、上記各実施形態の場合と比較して、美容器１０，１０Ａ〜１０Ｅの消費電力を低下させることができる。
【００９９】
・第５及び第６の実施形態において、ステップＳ２２１又はステップＳ３５５の判定処理が肯定判定になった場合であっても、発光表示部ＨＤの輝度Ｐｒを輝度下限値ＫＰｒｍｉｎで維持させてもよい。また、発光表示部ＨＤの輝度Ｐｒを輝度下限値ＫＰｒｍｉｎと輝度上限値ＫＰｒｍａｘとの間の輝度まで上昇させてもよい。
【０１００】
・第５及び第６の実施形態において、照明装置６２がオフになったことを検知してからの経過時間が低下開始基準値ＫＴ１以上となった場合に、発光表示部ＨＤの輝度Ｐｒを低下させてもよい。
【０１０１】
・第３及び第４の実施形態において、ステップＳ２１２又はステップＳ３５２の判定処理が肯定判定になった場合であっても、発光表示部ＨＤの輝度Ｐｒを輝度下限値ＫＰｒｍｉｎで維持させてもよい。また、発光表示部ＨＤの輝度Ｐｒを輝度下限値ＫＰｒｍｉｎと輝度上限値ＫＰｒｍａｘとの間の輝度まで上昇させてもよい。
【０１０２】
・第３及び第４の実施形態において、ステップＳ１７２又はステップＳ３２２の判定結果が肯定判定（Ｐａ＜ＫＰａ）になってからの経過時間が低下開始基準値ＫＴ１以上となった場合に、発光表示部ＨＤの輝度Ｐｒを低下させてもよい。
【０１０３】
・各実施形態において、発光表示部ＨＤの輝度Ｐｒを、所定時間毎（例えば０．４秒毎）に低下（又は上昇）させてもよい。すなわち、輝度Ｐｒを、段階的に変動させてもよい。所定時間は、「０秒」よりも大きく且つ「１２０分」以下であれば任意の時間であってもよい。ただし、所定時間は、「０秒」よりも大きく且つ「６０分」以下の任意の時間であれば好ましい。また、所定時間は、「０秒」よりも大きく且つ「５分」以下の任意の時間であればさらに好ましい。また、所定時間は、「０秒」よりも大きく且つ「１分」以下の任意の時間であればさらに好ましい。また、所定時間は、「０秒」よりも大きく且つ「１０秒」以下の任意の時間であればさらに好ましい。また、所定時間は、「０秒」よりも大きく且つ「５秒」以下の任意の時間であればさらに好ましい。また、所定時間は、「０秒」よりも大きく且つ「２秒」以下の任意の時間であればさらに好ましい。また、所定時間は、「０秒」よりも大きく且つ「１．５秒」以下の任意の時間であればさらに好ましい。また、所定時間は、「０．１秒」以上であって且つ「１秒」以下の任意の時間であることが最も好ましい。
【０１０４】
また、発光表示部ＨＤの輝度Ｐｒを段階的に低下（又は上昇）させる場合には、発光表示部ＨＤに出力する制御信号のデューティー比を設定数（一例として１％）ずつ変更させてもよい。この設定数は、「０％」よりも大きく且つ「１００％」未満の任意の値であってもよい。ただし、設定数は、「１％」以上であって且つ「２０％」未満の任意の値であればさらに好ましい。また、設定数は、「１％」以上であって且つ「１０％」未満の任意の値であればさらに好ましい。また、設定数は、「１％」以上であって且つ「５％」未満の任意の値であればさらに好ましい。また、設定数は、「１％」以上であって且つ「３％」未満の任意の値であることが最も好ましい。
【０１０５】
・各実施形態において、発光表示部ＨＤの輝度Ｐｒを低下（又は上昇）させる場合には、輝度Ｐｒの低下及び上昇を繰り返しながら輝度下限値ＫＰｒｍｉｎ（輝度上限値ＫＰｒｍａｘ）に輝度Ｐｒを接近させるようにしてもよい。
【０１０６】
・各実施形態において、発光表示部ＨＤの輝度Ｐｒを低下（又は上昇）させる場合には、発光表示部ＨＤに出力する制御信号のデューティー比を「１％」以外の任意の設定数ずつ変更させてもよい。この設定数は、「０％」よりも大きく且つ「１００％」未満の任意の値であってもよい。ただし、設定数は、「１％」以上であって且つ「２０％」未満の任意の値であればさらに好ましい。また、設定数は、「１％」以上であって且つ「１０％」未満の任意の値であればさらに好ましい。また、設定数は、「１％」以上であって且つ「５％」未満の任意の値であればさらに好ましい。また、設定数は、「１％」以上であって且つ「３％」未満の任意の値であることが最も好ましい。
【０１０７】
・各実施形態において、輝度下限値ＫＰｒｍｉｎは、使用者が視認可能な程度の輝度であれば、発光表示部ＨＤに出力する制御信号のデューティー比が２０％以外の他の任意の設定数となったときの輝度であってもよい。この設定数は、「１％」以上であって且つ「５０％」以下の値であってもよい。ただし、設定数は、「５％」以上であって且つ「３０％」以下の値であれば好ましい。また、設定数は、「１０％」以上であって且つ「２０％」以下の値であれば好ましい。また、設定数は、「１５％」以上であって且つ「２０％」以下の値であることが最も好ましい。
【０１０８】
・各実施形態において、低下開始基準値ＫＴ１を、「１分」以外の任意の時間に設定してもよい。この低下開始基準値ＫＴ１は、「０分」よりも大きく且つ「６０分」以下の任意の時間であってもよい。ただし、低下開始基準値ＫＴ１は、「０分」よりも大きく且つ「３０分」以下の任意の時間であることが好ましい。また、低下開始基準値ＫＴ１は、「５秒」よりも大きく且つ「２０分」以下の任意の時間であることがさらに好ましい。また、低下開始基準値ＫＴ１は、「１０秒」よりも大きく且つ「２分」以下の任意の時間であることが最も好ましい。
【０１０９】
・各実施形態において、駆動停止基準値ＫＴ２を、「８時間」以外の任意の時間（例えば７時間）に設定してもよい。また、駆動停止基準値ＫＴ２を、使用者によって任意の時間に設定させるようにしてもよい。この場合、美容器１０，１０Ａ〜１０Ｅには、使用者によって駆動停止基準値ＫＴ２を設定させるための操作部を設けてもよい。
【０１１０】
・各実施形態において、発光表示部ＨＤは、青色のＬＥＤランプを備えた構成であってもよいし、赤色のＬＥＤランプを備えた構成であってもよい。また、発光表示部ＨＤは、青色や赤色以外の他の色のＬＥＤランプを備えた構成であってもよい。
【０１１１】
・各実施形態において、発光表示部ＨＤは、液晶ディスプレイや有機ＥＬディスプレイなどの表示画面を備えた構成であってもよい。
・第２、第４及び第６の実施形態において、美容器１０Ａ，１０Ｃ，１０Ｅは、温ミストのみを放出可能な構成であってもよい。すなわち、美容器１０Ａ，１０Ｃ，１０Ｅは、ミスト発生部５１を備える一方で、静電霧化部５２を備えない構成であってもよい。
【０１１２】
・ミスト発生部５１は、超音波振動にて液体をミスト化する装置であってもよい。
・貯留タンク３３は、水以外の任意の液体（保湿剤や美白剤を含む液体、芳香剤を含む液体など）を貯留するタンクであってもよい。
【０１１３】
・制御部５３を構成するＣＰＵでもクロック信号が生成される。そのため、各実施形態において、計時部５４は、ＣＰＵで生成されるクロック信号に基づき時間の計測を行ってもよい。
【符号の説明】
【０１１４】
１０，１０Ａ〜１０Ｅ…美容装置としての美容器、５１…液体霧化装置としてのミスト発生部、５２…液体霧化装置としての静電霧化部、５３…制御部、５４…計時部、６０…照度検出部、６２…照明装置、７０…状態検知部、ＨＤ…発光表示部、ＫＰａ…照度基準値、ＫＰｒｍｉｎ…輝度下限値、ＫＴ１…低下開始基準値、Ｐａ…照度、Ｐｒ…輝度、Ｔ１…開始経過時間。
【図１】
2011239822.tif 000003
【図２】
2011239822.tif 000004
【図３】
2011239822.tif 000005
【図４】
2011239822.tif 000006
【図５】
2011239822.tif 000007
【図６】
2011239822.tif 000008
【図７】
2011239822.tif 000009
【図８】
2011239822.tif 000010
【図９】
2011239822.tif 000011
【図１０】
2011239822.tif 000012
【図１１】
2011239822.tif 000013
【図１２】
2011239822.tif 000014
【図１３】
2011239822.tif 000015
【図１４】
2011239822.tif 000016
【図１５】
2011239822.tif 000017
【図１６】
2011239822.tif 000018